(57)【要約】【課題】画面に対する操作性を向上させること。【解決手段】表示制御装置は、画面に対する操作に応じて画面の表示内容をスクロールさせるスクロールモードに制御する第１操作制御部と、所定の操作が行われた場合、画面の表示内容をスクロールさせずに、画面に対する操作に応じて画面上の操作位置を移動させる非スクロールモードに制御する第２操作制御部と、所定の操作が行われた場合、予め設定された選択項目を画面に表示させる選択項目設定部と、を備える。【選択図】図１
2020003918.tif 000002
【特許請求の範囲】
【請求項１】
画面に対する操作に応じて前記画面の表示内容をスクロールさせるスクロールモードに制御する第１操作制御部と、
所定の操作が行われた場合、前記画面の表示内容をスクロールさせずに、前記画面に対する操作に応じて前記画面上の操作位置を移動させる非スクロールモードに制御する第２操作制御部と、
前記所定の操作が行われた場合、予め設定された選択項目を前記画面に表示させる選択項目設定部と、
を備える表示制御装置。
【請求項２】
前記選択項目には、ひとつ前の画面に遷移させる機能を選択するための選択項目が少なくとも含まれる、
請求項１に記載の表示制御装置。
【請求項３】
前記選択項目設定部は、
前記選択項目を前記画面の端の領域に表示させる、
請求項１に記載の表示制御装置。
【請求項４】
前記選択項目設定部は、
前記画面の領域のうちユーザにより選択された領域に前記選択項目を表示させる、
請求項１から請求項３のいずれか一項に記載の表示制御装置。
【請求項５】
前記選択項目設定部は、
前記画面の領域のうち前記所定の操作に応じた領域に前記選択項目を表示させる、
請求項１から請求項３のいずれか一項に記載の表示制御装置。
【請求項６】
前記選択項目に対応する選択判定領域を当該選択項目より広い領域として設定する選択判定領域設定部と、
前記画面に対する操作に応じた操作位置と前記選択判定領域とに基づいて、前記選択項目が選択されたか否かを判定する選択判定部と、
を備える請求項１から請求項５のいずれか一項に記載の表示制御装置。
【請求項７】
前記第２操作制御部は、
前記画面上の操作位置を前記選択項目が選択される位置に移動させる操作を行わなくとも、前記画面上の操作位置を前記選択項目が選択された状態となる位置に移動させる、
請求項１から請求項６のいずれか一項に記載の表示制御装置。
【請求項８】
請求項１から請求項７のいずれか一項に記載の表示制御装置、
を備えた表示装置。
【請求項９】
請求項８に記載の表示装置、
を備えたテレビジョン。
【請求項１０】
表示制御装置における表示制御方法であって、
第１操作制御部が、画面に対する操作に応じて前記画面の表示内容をスクロールさせるスクロールモードに制御する第１操作制御ステップと、
第２操作制御部が、所定の操作が行われた場合、前記画面の表示内容をスクロールさせずに、前記画面に対する操作に応じて前記画面上の操作位置を移動させる非スクロールモードに制御する第２操作制御ステップと、
選択項目設定部が、前記所定の操作が行われた場合、予め設定された選択項目を前記画面に表示させる選択項目設定ステップと、
を有する表示制御方法。
【請求項１１】
コンピュータに、
画面に対する操作に応じて前記画面の表示内容をスクロールさせるスクロールモードに制御する第１操作制御ステップと、
所定の操作が行われた場合、前記画面の表示内容をスクロールさせずに、前記画面に対する操作に応じて前記画面上の操作位置を移動させる非スクロールモードに制御する第２操作制御ステップと、
前記所定の操作が行われた場合、予め設定された選択項目を前記画面に表示させる選択項目設定ステップと、
を実行させるためのプログラム。
【発明の詳細な説明】
【技術分野】
【０００１】
本発明は、表示制御装置、表示装置、テレビジョン、表示制御方法、及びプログラムに関する。
【背景技術】
【０００２】
リモコン（リモートコントローラ）を用いて表示装置の各種操作を行う技術が知られている。例えば、ジャイロセンサなどを搭載したリモコンを振って、画面上のポインタを移動させ、画面上に表示されたアイコンに重なる位置に移動させることにより、当該アイコンに割り当てられた機能を実行させることができる（例えば、特許文献１参照）。
【先行技術文献】
【特許文献】
【０００３】
【特許文献１】国際公開第２００９／０７２５０４号
【発明の概要】
【発明が解決しようとする課題】
【０００４】
例えば、ひとつ前の画面への遷移操作（戻る操作）などのような使用頻度が高い操作については操作が容易であることが望まれる。しかしながら、戻る操作の機能が割り当てられたアイコン（所謂、「戻るボタン」）を画面上で選択する操作の場合には、当該アイコンにポインタが重なるように、ポインタを移動させる必要があり、操作が煩わしいことや、ポインタの位置合わせが容易ではないとユーザが感じる場合があった。特に、近年テレビジョンの機能が拡張され、機能の選択や設定を行う操作ボタンの数が増えているとともに、インターネットのホームページやＶＯＤ（Ｖｉｄｅｏ Ｏｎ Ｄｅｍａｎｄ）などの様々なコンテンツを再生、表示できるようになり、これらのコンテンツを選択するためのアイコンの数も増えている。それにより、各アイコンの大きさがより小さくなると、ポインタの位置合わせがより難しくなり、使用頻度が高い操作であるにもかかわらず、操作性が損なわれてしまうという懸念がある。
【０００５】
本発明は上記の点に鑑みてなされたものであり、画面に対する操作性を向上させる表示制御装置、表示装置、テレビジョン、表示制御方法、及びプログラムを提供することを課題とする。
【課題を解決するための手段】
【０００６】
本発明は上記の課題を解決するためになされたものであり、本発明の一態様は、画面に対する操作に応じて前記画面の表示内容をスクロールさせるスクロールモードに制御する第１操作制御部と、所定の操作が行われた場合、前記画面の表示内容をスクロールさせずに、前記画面に対する操作に応じて前記画面上の操作位置を移動させる非スクロールモードに制御する第２操作制御部と、前記所定の操作が行われた場合、予め設定された選択項目を前記画面に表示させる選択項目設定部と、を備える表示制御装置である。
【０００７】
また、本発明の一態様は、上記の表示制御装置、を備えた表示装置である。
【０００８】
また、本発明の一態様は、上記の表示装置、を備えたテレビジョンである。
【０００９】
また、本発明の一態様は、表示制御装置における表示制御方法であって、第１操作制御部が、画面に対する操作に応じて前記画面の表示内容をスクロールさせるスクロールモードに制御する第１操作制御ステップと、第２操作制御部が、所定の操作が行われた場合、前記画面の表示内容をスクロールさせずに、前記画面に対する操作に応じて前記画面上の操作位置を移動させる非スクロールモードに制御する第２操作制御ステップと、選択項目設定部が、前記所定の操作が行われた場合、予め設定された選択項目を前記画面に表示させる選択項目設定ステップと、を有する表示制御方法である。
【００１０】
また、本発明の一態様は、コンピュータに、画面に対する操作に応じて前記画面の表示内容をスクロールさせるスクロールモードに制御する第１操作制御ステップと、所定の操作が行われた場合、前記画面の表示内容をスクロールさせずに、前記画面に対する操作に応じて前記画面上の操作位置を移動させる非スクロールモードに制御する第２操作制御ステップと、前記所定の操作が行われた場合、予め設定された選択項目を前記画面に表示させる選択項目設定ステップと、を実行させるためのプログラムである。
【発明の効果】
【００１１】
本発明によれば、画面に対する操作性を向上させることができる。
【図面の簡単な説明】
【００１２】
【図１】第１の実施形態の概要を説明する図。
【図２】第１の実施形態に係る表示装置の構成の一例を示すブロック図。
【図３】第１の実施形態に係るエアマウスの外観の一例を示す図。
【図４】第１の実施形態に係るエアマウス１００の構成の一例を示すブロック図。
【図５】第１の実施形態に係る制御部の機能構成の一例を示す図。
【図６】アイコン選択画面と選択判定領域との一例を示す図。
【図７】非スクロールモード時のアイコン選択画面及び選択判定領域の一例を示す図。
【図８】選択されている状態のアイコン選択画面及び選択判定領域の一例を示す図。
【図９】非スクロールモード時のアイコン選択画面及び選択判定領域の別例を示す図。
【図１０】アイコンＡが選択されている状態の画面の表示例を示す写真。
【図１１】第１の実施形態に係る動作モード切替処理の一例を示すフローチャート。
【図１２】第１の実施形態に係るアイコン選択判定処理の一例を示すフローチャート。
【図１３】第２の実施形態に係る表示領域の設定画面の一例を示す図。
【図１４】第２の実施形態に係る表示領域の設定処理の一例を示すフローチャート。
【図１５】第２の実施形態に係る表示制御処理の一例を示すフローチャート。
【図１６】第２の実施形態に係る表示制御処理の別の例を示すフローチャート。
【発明を実施するための形態】
【００１３】
以下、図面を参照して、本発明の実施形態について説明する。
［第１の実施形態］
まず、本発明の第１の実施形態について説明する。
本実施形態では、画面に対する操作をエアマウスを用いて行う。エアマウスとは、空間における動き又は姿勢を認識することで、空中で画面に向けて動かすことにより画面に対する操作が可能なリモコン（リモートコントローラ）である。例えば、エアマウスは、ジャイロセンサを搭載し、ジャイロセンサを用いて角度変化を検出することで、画面の表示内容をスクロールさせたり、画面に対して指し示す位置（即ち、操作位置）を移動させたりすることが可能である。
【００１４】
図１は、本実施形態の概要を説明する図である。
画面ＧＡ１には、複数の選択対象となるアイコン（選択項目）が表示されている。各アイコンには、コンテンツや機能が割り当てられている。画面ＧＡ１では、ユーザがエアマウス１００を上下又は左右方向に振る（傾ける）操作をすることで、エアマウス１００の振り幅などに応じて画面の表示内容を上下又は左右方向にスクロールさせることができる。ここで、エアマウス１００を画面に対して上下方向に振る（傾ける）操作とは、図示するように画面の横方向（画面の水平ライン方向）をＸ軸とし、画面の縦方向（画面の垂直ライン方向）をＹ軸とすると、画面の方に向けたエアマウス１００をＸ軸を中心とした回転方向（ピッチ方向）に振る（傾ける）操作のことをいう。一方、エアマウス１００を画面に対して左右方向に振る（傾ける）操作とは、画面の方に向けたエアマウス１００をＹ軸を中心とした回転方向（ヨー方向）に振る操作のことをいう。なお、画面の上下方向のことを垂直方向、画面の左右方向のことを水平方向とも称する。なお、スクロール方向は、上下又は左右のいずれか一方向であってもよい。この画面の表示内容がスクロールする動作モードを以下では「スクロールモード」と称する。
【００１５】
また、エアマウス１００には、操作ボタン１０１が設けられている。この操作ボタン１０１は、タッチセンサを搭載しており、ユーザの指が触れている状態であるか否を検出する。また、操作ボタン１０１は、物理的に押下する（押し込む）ことも可能である。つまり、操作ボタン１０１は、ユーザの指が触れているが押下はされていない状態（以下、「Ｈｏｖｅｒ状態」とも称する）と、Ｈｏｖｅｒ状態からさらに押下された状態（押し込まれた状態）とを検出する。
【００１６】
操作ボタン１０１にユーザの指が触れていない状態では、上述したようにスクロールモードに制御されるが、Ｈｏｖｅｒ状態になるとスクロールされない動作モード（以下では、「非スクロールモード」と称する）に制御される画面ＧＡ２に遷移する。非スクロールモードでは、エアマウス１００を振ることに応じて画面上の操作位置が移動する。また、画面ＧＡ２に遷移すると、ひとつ前の画面への遷移操作（戻る操作）の機能が割り当てられたアイコンＢＫ（所謂、「戻るボタン」）が表示される。図示する例では、画面ＧＡ２の上側の端にアイコンＢＫ（所謂、「戻るボタン」）が表示される。
【００１７】
この画面ＧＡ２では、Ｈｏｖｅｒ状態でエアマウス１００を上下又は左右方向に振ることで、画面上の操作位置を移動させ、画面に表示されている複数のアイコン（例えば、各種のコンテンツや各種の機能が割り付けられたアイコン）の中から所望のアイコンを選択することができる。具体的には、所望のアイコンに操作位置を合わせることで当該アイコンが選択されている状態（選択中の状態）となる。ここで、アイコンが選択されている状態（選択中の状態）とは、エアマウス１００でアイコンを指すことにより、そのアイコンが他のアイコンと区別され、選択確定の操作を受け付け可能となる状態（所謂、フォーカスされた状態）である。画面ＧＡ２では、アイコンＢＫ（所謂、「戻るボタン」）が選択されている状態（選択中の状態）であり、アイコンＢＫが強調表示（ここでは、アイコンＢＫの周囲に枠が表示）されている。この状態でユーザが操作ボタン１０１を押下することにより選択が確定され、当該アイコンに割り当てられている機能（ここでは、ひとつ前の画面への遷移操作（戻る操作）の機能）が実行される。なお、画面ＧＡ２（非スクロールモード）において、Ｈｏｖｅｒ状態が解除されると（操作ボタン１０１に指が触れていない状態になると）、画面ＧＡ１（スクロールモード）へ遷移する。
【００１８】
このように、本実施形態では、エアマウス１００の操作ボタン１０１をユーザが指で触れるか否かによって、スクロールモードと非スクロールモードとの切り替えが可能であり、非スクロールモードでは「戻るボタン」が表示される。よって、スクロールモードでは、多くのコンテンツや機能を効率よく検索できるとともに、操作ボタン１０１を指で触れるのみで、画面のスクロールが停止した状態で「戻るボタン」が自動で表示され、「戻るボタン」の選択が可能となるため、使用頻度が高い「戻るボタン」の選択が容易となり操作性を向上することができる。また、非スクロールモードでは、使用頻度が高い操作に限定した数に絞ってアイコンを表示させることもできるため、使用頻度が高い操作のアイコンを比較的に大きく表示させることができる。これにより、エアマウス１００の操作位置を合わせやすくなり、操作性を向上することができる。さらに、画面の端に「戻るボタン」を表示させることによっても、画面の端以外に表示させるよりもエアマウス１００の操作位置を合わせやすくなるため、操作性を向上することができる。
【００１９】
［表示装置の構成］
以下、図面を参照して、本実施形態に係る表示装置の構成について、詳しく説明する。図２は、本実施形態に係る表示装置１の構成の一例を示すブロック図である。表示装置１は、映像信号が入力されることにより、当該映像信号に対して各種の信号処理を行い、信号処理後の映像を表示する。例えば、表示装置１は、放送波を介して入力される映像信号や、インターネットのホームページ、ＶＯＤ（Ｖｉｄｅｏ  Ｏｎ  Ｄｅｍａｎｄ）などの様々なコンテンツの映像信号を表示するテレビジョンである。なお、表示装置１は、テレビジョン放送の入力には対応していなくてもよく、ＨＤＭＩ（Ｈｉｇｈ Ｄｅｆｉｎｉｔｉｏｎ Ｍｕｌｔｉｍｅｄｉａ Ｉｎｔｅｒｆａｃｅ、登録商標）端子、コンポジット映像端子、セパレート映像端子（Ｓ端子）、コンポーネント映像端子、Ｄ映像端子（Ｄ端子）などの入力端子から入力される映像信号を表示する表示装置（例えば、ＰＣ（Ｐｅｒｓｏｎａｌ Ｃｏｍｐｕｔｅｒ）用のモニターや映像評価用のマスターモニターなど）であってもよい。また、これらの表示装置は、多機能携帯電話機（所謂、スマートフォンを含む）、表示装置と一体として構成されたＰＣ（デスクトップ型ＰＣ、ラップトップ型ＰＣ、タブレット型ＰＣなどを含む）などであってもよい。
【００２０】
例えば、表示装置１は、表示制御装置１０と、表示部２０とを備えている。表示制御装置１０１０は、ＭＰＵ（Ｍｉｃｒｏ−Ｐｒｏｃｅｓｓｉｎｇ  Ｕｎｉｔ）１１と、ＲＡＭ（Ｒａｎｄｏｍ  Ａｃｃｅｓｓ  Ｍｅｍｏｒｙ）１２と、ＲＯＭ（Ｒｅａｄ  Ｏｎｌｙ  Ｍｅｍｏｒｙ）１３と、ＮＶＲＡＭ（Ｎｏｎ-Ｖｏｌａｔｉｌｅ ＲＡＭ）１４と、表示制御部１５と、ビデオＲＡＭ１６と、通信部１７とを備えている。
【００２１】
ＭＰＵ１１は、表示装置１の各部を制御する主制御部として表示装置１における各種の処理を実行する。例えば、ＭＰＵ１１は、表示装置１に入力された映像信号に対する画像処理や画像処理を行った映像信号に基づく映像を表示部２０に表示させる処理などを実行する。また、ＭＰＵ１１は、各種の選択対象となるアイコンを表示部２０に表示させる処理、画面に対する操作に応じて画面の表示内容を変更する処理、表示部２０に表示させた各種のアイコンを選択する操作の選択判定処理、及び選択操作に関する表示処理などを実行する。
【００２２】
ＲＡＭ１２は、ＭＰＵ１１が処理を実行する際の作業領域として用いられ、実行中の各種のプログラム、処理中の各種のデータなどを一時的に格納する。
ＲＯＭ１３は、ＭＰＵ１１が実行する各種のプログラム、処理に必要な各種のデータなどが記憶された不揮発性のメモリである。
ＮＶＲＡＭ１４は、不揮発性メモリであり、各種の設定情報（設定値）などを記憶する。
【００２３】
表示制御部１５は、ＭＰＵ１１の制御に応じて、表示装置１の画面上に表示される映像やアイコンなどの画像データを生成する。また、表示制御部１５は、生成した画像データを表示部２０へ表示させる。
ビデオＲＡＭ１６は、表示制御部１５が処理を実行する際の作業領域となり、生成された画像データを一時的に格納する。
【００２４】
通信部１７は、Ｂｌｕｅｔｏｏｔｈ（登録商標）やＷｉ−Ｆｉ（登録商標）などの無線通信に対応し、エアマウス１００から送信される操作信号を受信する。
エアマウス１００は、エアマウス１００の動き（例えば、角度変化）を検出し、検出結果を示す検出信号を操作信号として出力する。
【００２５】
図３は、本実施形態に係るエアマウス１００の外観の一例を示す図である。上述したように、エアマウス１００は、Ｈｏｖｅｒ状態と押下された状態とを検出する操作ボタン１０１を備えている。なお、エアマウス１００には、操作ボタン１０１以外に、他の機能が割り付けられた操作ボタンが設けられてもよい。
【００２６】
図４は、本実施形態に係るエアマウス１００の構成の一例を示すブロック図である。エアマウス１００は、操作部１５１と、通信部１５２と、センサ部１５３と、ＭＰＵ１５４とを備えている。操作部１５１は、操作ボタン１０１などの操作ボタンを備え、当該操作ボタンに対してユーザが操作することに応じて、操作状態を示す信号をＭＰＵ１５４へ出力する。操作ボタン１０１は、上述したように、タッチセンサを搭載しており、ボタンの表面にユーザの指が触れている状態であるか否を検出する。また、操作ボタン１０１は、物理的に押下する機構を備えており、押下された（押し込まれた）状態であるか否かの状態を検出する。これにより、操作ボタン１０１は、指が触れていない状態と、Ｈｏｖｅｒ状態（指が触れているが押下されていない状態）と、押下された状態とを検出し、検出した操作状態を示す信号を出力する。
【００２７】
通信部１５２は、Ｂｌｕｅｔｏｏｔｈ（登録商標）やＷｉ−Ｆｉ（登録商標）などの無線通信に対応し、ＭＰＵ１５４の制御によりエアマウス１００に対する操作内容を示す操作信号を送信する。
【００２８】
センサ部１５３は、ジャイロセンサなどのモーションセンサを含んで構成され、エアマウス１００の角度変化（角速度あるいは角加速度など）を検出し、検出結果を示す検出信号をＭＰＵ１５４へ出力する。例えば、センサ部１５３は、直交する２軸の角速度を検出するジャイロセンサを備え、エアマウス１００の上下方向及び左右方向の角度変化を検出する。なお、センサ部１５３は、ジャイロセンサに代えて或いは加えて、加速度センサ、傾斜センサ、地磁気センサなどを含んで構成されてもよい。また、センサ部１５３は、タッチパッド、トラックボールなど画面に対する位置を操作可能なデバイスを含んで構成されてもよい。
【００２９】
ＭＰＵ１５４は、エアマウス１００の各部を制御する。例えば、ＭＰＵ１５４は、ユーザが操作部１５１に対して操作することに応じて操作部１５１から操作状態を示す信号を取得し、当該操作状態に基づいて操作内容を示す操作信号を、通信部１５２を介して送信する。また、ＭＰＵ１５４は、センサ部１５３から取得する検出信号に基づいてエアマウス１００の角度変化を示す情報を生成し、操作内容を示す操作信号として通信部１５２を介して送信する。
【００３０】
次に、図５を参照して、表示装置１のＭＰＵ１１が実行する制御部としての機能ついてについて詳しく説明する。
図５は、本実施形態に係る制御部の機能構成の一例を示す図である。図示する制御部１１０は、ＭＰＵ１１が実行する機能構成の一例であり、アイコン設定部１１１と、選択判定領域設定部１１２と、操作検出部１１３と、操作制御部１１４と、選択判定部１１５と、選択表示部１１６とを備えている。
【００３１】
アイコン設定部１１１は、画面に表示させる複数の選択対象となる所定の数のアイコンを、所定の位置に並べて配置する。例えば、後述する図６のアイコン選択画面ＧＡ１０、ＧＡ１１に示すように、アイコン設定部１１１は、アイコンＡ〜Ｆを上段と下段の２段に分けて水平方向へ所定の間隔を空けて（即ち、不連続に）並べて配置する。なお、アイコン設定部１１１は、画面に表示するアイコンの一部又は全てを連続的に並べて配置してもよい。また、アイコン設定部１１１は、表示するアイコンの内容（即ち、選択対象の内容）又はユーザの操作状況、或いは画面の仕様（画面サイズ、解像度（画素数）など）に基づいて、画面に表示するアイコンの数、サイズ、及び位置を必要に応じて変更して配置してもよい。
【００３２】
選択判定領域設定部１１２は、アイコン設定部１１１により配置された複数のアイコンのそれぞれに対応する複数の選択判定領域を設定する。選択判定領域とは、アイコンが選択された状態であるか否かを判定するための領域である。例えば、後述する図６の選択判定領域画面ＧＳ１０、ＧＳ１１に示すように、選択判定領域設定部１１２は、アイコン設定部１１１により配置されたアイコンＡ〜Ｆの数に応じて画面の画面領域を分割した分割領域のそれぞれを、複数のアイコンのそれぞれに対応する複数の選択判定領域Ａ´〜Ｆ´として設定する。つまり、選択判定領域設定部１１２は、複数のアイコンのそれぞれに対応する複数の選択判定領域を、所定の間隔を開けずに隣接させ連続的に配置する。
【００３３】
また、選択判定領域設定部１１２は、画面上の水平方向及び垂直方向において、アイコンの数と同じ数になるように画面領域を分割した選択判定領域を設定する。例えば、選択判定領域設定部１１２は、水平方向と垂直方向とのそれぞれにおいて均等の幅を有する複数の選択判定領域を設定する。
【００３４】
また、表示するアイコンの内容（即ち、選択対象の内容）又はユーザの操作状況、或いは画面の仕様（画面サイズ、解像度（画素数）など）によて、画面に表示されるアイコンの数、サイズ、及び位置などは変化する。そのため、選択判定領域設定部１１２は、アイコン設定部１１１により配置されたアイコンの数、位置、及び画面の仕様に基づいて、複数のアイコンのそれぞれに対応する複数の選択判定領域を動的に生成して設定する。
【００３５】
（アイコン選択画面及び選択判定領域の設定例）
ここで、複数のアイコンが表示された表示画面（以下、「アイコン選択画面」という）と各アイコンの選択判定領域とについて説明する。なお、以下では、複数のアイコンが表示された表示画面にことを、「アイコン選択画面」と記載する。また、アイコン選択画面に表示された各アイコンの選択判定領域を示す画面のことを、「選択判定領域画面」と記載する。この選択判定領域画面は、実際に表示される画面ではなく、アイコン選択画面に対して設定されている選択判定領域を図示したものである。
【００３６】
図６は、アイコン選択画面と選択判定領域との一例を示す図である。アイコン選択画面ＧＡ１０には、矩形状のアイコンＡ〜Ｆまでの６つの選択可能なアイコンが表示されている。図示する例では、アイコンＡ〜Ｆは上段と下段の２段で表示されている。上段には、アイコンＡ〜Ｄの４つのアイコンが画面の水平方向へ並んで所定の間隔を空けて配置されている。なお、アイコンＡ〜Ｄは、画面の垂直方向の幅は同じであるが、水平方向の幅はアイコンＢのみが狭い。一方、下段には、アイコンＥとアイコンＦの２つのアイコンが水平方向へ並んで所定の間隔を空けて配置されている。但し、アイコンＥとアイコンＦの水平方向の幅及び垂直方向の幅は、アイコンＡのそれぞれの幅の半分以下であり、水平方向におけるアイコンＥとアイコンＦの配置されている幅は、アイコンＡの幅未満である。
【００３７】
一方、選択判定領域画面ＧＳ１０は、アイコン選択画面ＧＡ１０に表示された各アイコンの選択判定領域を示している。選択判定領域画面ＧＳ１０に示すように、アイコン選択画面ＧＡ１０に配置されているアイコンの数に応じて画面領域を分割した６つの分割領域である選択判定領域Ａ´〜Ｆ´のそれぞれがアイコンＡ〜Ｆのそれぞれに対応する選択判定領域として設定されている。
【００３８】
具体的には、選択判定領域Ａ´〜Ｆ´は、水平方向及び垂直方向ともに、アイコンの数と同じ数になるように画面領域が分割されて設定されている。図示するように、垂直方向に２つに分割され、上段は水平方向に４つに分割され、下段は水平方向に２つに分割されている。上段の選択判定領域Ａ´〜Ｄ´のそれぞれは、その並びに応じてアイコンＡ〜Ｄのそれぞれに対応する選択判定領域である。また、下段の選択判定領域Ｅ´と選択判定領域Ｆ´のそれぞれは、その並びに応じてアイコンＥとアイコンＦのそれぞれに対応する選択判定領域である。ここで、上段において、選択判定領域Ａ´〜Ｄ´のそれぞれは、水平方向において均等の幅を有する。同様に、下段において、選択判定領域Ｅ´と選択判定領域Ｆ´のそれぞれは、水平方向において均等の幅を有する。即ち、選択判定領域の幅は、アイコンの幅に直接的に左右されるのではなく、アイコンの数に応じて均等に分割されている。また、垂直方向の幅（上段と下段の幅）についても同様に均等である。
【００３９】
また、アイコン選択画面ＧＡ１０における操作位置を、破線ＳＨと破線ＳＶとの交点で示している。アイコン選択画面ＧＡ１０における操作位置は、選択判定領域画面ＧＳ１０では選択判定領域Ｂ´に含まれるため、アイコンＢが選択されている状態である。
【００４０】
操作位置がアイコン選択画面ＧＡ１０に示す位置からアイコン選択画面ＧＡ１１に示す位置（アイコンＢから左斜め下方向）に移動すると、選択判定領域画面ＧＳ１１に示すように、移動後の操作位置が選択判定領域Ｅ´に含まれるため、アイコンＥが選択されている状態となる。つまり、アイコン選択画面ＧＡ１１において、操作位置がアイコンの表示領域外の位置に移動しているが、アイコンＢから左斜め下方向へ移動したことにより、当該方向の先にあるアイコンＥが選択されることになる。なお、図示する例で、アイコンＢからそのまま下方向へ操作位置が移動したとしても、アイコンＢにより近いアイコンＦではなくアイコンＥが選択されることになる。つまり、下段においてもアイコンＥの選択判定領域Ｅ´とアイコンＦの選択判定領域Ｆ´とが水平方向において画面の領域を均等に２分割しているため、左右の相対関係より上下の相対関係が優先されることになる。
【００４１】
このように、アイコンの数に応じて画面領域を分割した６つの分割領域が選択判定領域として設定されているため、隣接するアイコンどうしの選択判定領域の間に不感帯となる隙間がない。よって、画面内のどの位置をエアマウスで指していても、いずれかのアイコンが選択されている状態となるため、所望のアイコンを選択しやすくなる。また、エアマウスで指している現在の操作位置が画面上のどの辺りであるかがわからなくなることもない。
【００４２】
図５に戻り、操作検出部１１３は、通信部１７が受信するエアマウス１００から送信される操作信号に基づいて、操作内容を検出する。例えば、操作検出部１１３は、エアマウス１００の操作状態（角度変化や操作ボタン１０１の操作状態など）を検出し、操作制御部１１４へ受け渡す。
【００４３】
操作制御部１１４は、操作検出部１１３が検出したエアマウス１００の操作内容（角度変化や操作ボタン１０１の操作状態など）に応じた処理を行う。例えば、操作制御部１１４は、エアマウス１００の操作ボタン１０１にユーザの指が触れていない状態である場合（Ｈｏｖｅｒ状態でない場合）には、スクロールモードに制御する。具体的には、操作制御部１１４は、エアマウス１００の画面に対する操作（上下又は左右方向に振る操作）に応じて、エアマウス１００の振り方向と振り幅などに基づいてスクロール方向とスクロール量を決定し、アイコン設定部１１１にスクロールの指示を行う。これにより、アイコン設定部１１１は、画面に表示させるアイコンをスクロールさせる。
【００４４】
なお、操作制御部１１４は、画面の表示内容をスクロールさせる際に、画面に表示されるアイコンのみをスクロールさせてもよいし、背景も含めてスクロールさせてもよいし、画面に表示されているすべてをスクロールさせてもよい。つまり、操作制御部１１４は、画面の表示内容のすべてをスクロールさせてもよいし、画面の表示内容の一部をスクロールさせてもよい。また、操作制御部１１４は、画面のすべての領域に対してスクロール制御を適用してもよいし、画面の一部の領域のみに対してスクロール制御を適用してもよい。
【００４５】
また、操作制御部１１４は、エアマウス１００の操作ボタン１０１がＨｏｖｅｒ状態になると、非スクロールモードに制御する。具体的には、操作制御部１１４は、エアマウス１００の画面に対する操作（上下又は左右方向に振る操作）に応じて、アイコン設定部１１１にスクロールの指示を行わず、画面上の操作位置を移動させる。また、操作制御部１１４は、非スクロールモードに制御する際に、予め設定されたアイコン（選択項目）を画面に表示させる指示をアイコン設定部１１１に行う。これにより、アイコン設定部１１１は、予め設定されたアイコン（選択項目）を画面に表示させる。例えば、予め設定されたアイコン（選択項目）とは、ひとつ前の画面への遷移操作（戻る操作）の機能が割り当てられたアイコン（所謂、「戻るボタン」）である。
【００４６】
選択判定部１１５は、非スクロールモードにおいて、複数のアイコンと操作位置との関係に基づいて、複数のアイコンのうち選択中のアイコンを判定する。例え、選択判定部１１５は、複数のアイコンそれぞれに対応する選択判定領域のうち操作位置が含まれる選択判定領域に対応するアイコンを、選択中のアイコンであると判定する。
【００４７】
選択表示部１１６は、選択判定部１１５により選択中であると判定されたアイコンを、選択中であることを示す表示態様に変更する。例えば、選択表示部１１６は、選択中のアイコンを強調表示させる。具体的には、選択表示部１１６は、選択中のアイコンの周囲に枠を表示させてもよいし、選択中のアイコンの周囲の表示輝度を上げて光らせてもよい。また、選択表示部１１６は、元々アイコンに枠が表示されている場合には、選択中のアイコンの枠を太くしたり、色を変更したりしてもよい。また、選択表示部１１６は、選択中のアイコンのサイズを少し大きくしたり、選択中のアイコン自体の表示色やコントラストを変化させたりしてもよく、他の選択されていないアイコンとの区別が可能であれば、いずれの方法あってもよい。
【００４８】
（非スクロールモード時の制御例）
図７は、非スクロールモード時のアイコン選択画面及び選択判定領域の一例を示す図である。この図は、アイコンが３段で配置された場合の選択判定領域の設定例を示す図である。アイコン選択画面ＧＡ２０には、矩形状のアイコンＡ〜Ｉまでの９つの選択可能なアイコンが上段、中段、下段の３段で配置され表示されている。上段には、アイコンＡのみが配置されている。中段には、アイコンＢ〜Ｄが水平方向へ並んで所定の間隔を空けて配置されている。下段には、アイコンＥ〜Ｉが水平方向へ並んで所定の間隔を空けて配置されている。例えば、アイコンＡに、「戻るボタン」の機能が割り当てられている。
【００４９】
一方、選択判定領域画面ＧＳ２０は、アイコン選択画面ＧＡ２０に表示された各アイコンの選択判定領域を示している。図示する例では、アイコン選択画面ＧＡ２０に配置されているアイコンの数に応じて画面領域を分割した９つの分割領域である選択判定領域Ａ´〜Ｉ´のそれぞれがアイコンＡ〜Ｆのそれぞれに対応する選択判定領域として設定されている。例えば、アイコン選択画面ＧＡ２０において、上段、中段、下段に配置されているアイコンの垂直方向の幅は同じではないが、選択判定領域画面ＧＳ２０では、選択判定領域として画面領域が垂直方向に３つに均等に分割されている。上段には、アイコンＡに対応する選択判定領域Ａ´のみが設定されている。中段は、画面領域が水平方向に均等に３つに分割されており、アイコンＢ〜Ｄに対応する選択判定領域Ｂ´〜Ｄ´が設定されている。下段は、画面領域が水平方向に均等に５つに分割されており、アイコンＥ〜Ｉに対応する選択判定領域Ｅ´〜Ｉ´が設定されている。よって、選択判定領域Ａ´〜Ｉ´のうち、選択判定領域Ａ´が最も広い領域である。
【００５０】
この図では、画面上の操作位置（破線ＳＨと破線ＳＶとの交点）は、選択判定領域Ｂ´に含まれているため、アイコンＢが選択されている状態である。この操作位置から図８に示す操作位置（破線ＳＨと破線ＳＶとの交点）に移動するようにエアマウス１００を操作することで、アイコンＡ（「戻るボタン」）を選択することができる。図８は、アイコンＡが選択されている状態のアイコン選択画面及び選択判定領域の一例を示す図である。アイコンＡに対応する選択判定領域Ａ´が他のアイコンに対応する選択判定領域よりも広く設定されているため、使用頻度が高いアイコンＡ（「戻るボタン」）に操作位置を合わせやすく容易に選択することができる。
【００５１】
図９は、非スクロールモード時のアイコン選択画面及び選択判定領域の別の例を示す図である。この図は、アイコンが画面の上端と下端にのみ配置された場合の選択判定領域の設定例である。アイコン選択画面ＧＡ４０には、矩形状の４つのアイコンＡ〜Ｄが配置され表示されている。上端には、アイコンＡのみが配置されている。下端には、３つのアイコンＢ〜Ｄが水平方向へ並んで所定の間隔を空けて配置されている。このアイコンの配置は、例えば、動画コンテンツの再生中にアイコン選択画面に切り替わった時に表示されるアイコンの配置例である。例えば、アイコンＡには、「戻るボタン」の機能が割り当てられている。また、アイコンＢ〜Ｄは、再生中の動画コンテンツの停止（一時停止）、再生、早送り、巻き戻しなどの機能が割り当てられている。
【００５２】
一方、選択判定領域画面ＧＳ４０は、アイコン選択画面ＧＡ４０に表示された各アイコンの選択判定領域を示している。図示する例では、アイコン選択画面ＧＡ４０に配置されているアイコンの数に応じて画面領域を分割した４つの分割領域である選択判定領域Ａ´〜Ｄ´のそれぞれがアイコンＡ〜Ｄのそれぞれに対応する選択判定領域として設定されている。例えば、アイコン選択画面ＧＡ４０では、上端と下端のみにアイコンが配置されているが、選択判定領域画面ＧＳ４０では、選択判定領域として画面領域が垂直方向に上段と下段の２つに均等に分割されている。上段は、アイコンＡに対応する選択判定領域Ａ´として設定されている。下段は、画面領域が水平方向に均等に３つに分割されており、アイコンＢ〜Ｄに対応する選択判定領域Ｂ´〜Ｄ´が設定されている。よって、選択判定領域Ａ´〜Ｄ´のうち、選択判定領域Ａ´が最も広い領域である。
【００５３】
また、この図では、画面上の操作位置（破線ＳＨと破線ＳＶとの交点）は、選択判定領域Ａ´に含まれているため、アイコンＡ（「戻るボタン」）が選択されている状態である。図１０は、アイコンＡが選択されている状態の画面の表示例を示す写真である。この写真は、図９のアイコン選択画面ＧＡ４０に相当する。アイコンＡに対応する選択判定領域Ａ´が他のアイコンに対応する選択判定領域よりも広く設定されているため、使用頻度が高いアイコンＡ（「戻るボタン」）に操作位置を合わせやすく容易に選択することができる。
【００５４】
［処理の動作］
次に、表示装置１の制御部１１０が実行する操作制御処理の動作について説明する。まず、図１１を参照して、スクロールモードと非スクロールモードとを切り替える動作モード切替処理の動作について説明する。図１１は、本実施形態に係る動作モード切替処理の一例を示すフローチャートである。
【００５５】
（ステップＳ１０１）制御部１１０は、エアマウス１００から送信される操作信号に基づいて、エアマウス１００の操作ボタン１０１がＨｏｖｅｒ状態であるか否かを判定する。制御部１１０は、Ｈｏｖｅｒ状態でないと判定した場合（ＮＯ）、ステップＳ１０３の処理に進み、スクロールモードに制御する。一方、制御部１１０は、Ｈｏｖｅｒ状態であると判定した場合（ＹＥＳ）、ステップＳ１０９の処理に進み、非スクロールモードに制御する。
【００５６】
（ステップＳ１０３）スクロールモードでは、制御部１１０は、「戻るボタン」を非表示に制御する。そして、ステップＳ１０５の処理に進む。
（ステップＳ１０５）制御部１１０は、エアマウス１００から送信される操作信号に基づいて、エアマウス１００の画面に対する操作（上下又は左右方向に振る操作）がされたか否かを判定する。例えば、制御部１１０は、エアマウス１００の角度変化が検出された場合にはエアマウス１００を振る操作がされたと判定し、エアマウス１００の角度変化が検出されない場合にはエアマウス１００を振る操作がされていないと判定する。制御部１１０は、エアマウス１００の操作（振る操作）がされたと判定した場合（ＹＥＳ）、ステップＳ１０７の処理に進む。一方、制御部１１０は、エアマウス１００の操作（振る操作）がされていないと判定した場合（ＮＯ）、ステップＳ１０１の処理に戻す。
（ステップＳ１０７）制御部１１０は、エアマウス１００の操作（振る操作）に応じて、画面の表示内容をスクロールさせる。
【００５７】
（ステップＳ１０９）非スクロールモードでは、制御部１１０は、「戻るボタン」を表示させる。そして、ステップＳ１１１の処理に進む。
（ステップＳ１１１）制御部１１０は、エアマウス１００から送信される操作信号に基づいて、エアマウス１００の画面に対する操作（上下又は左右方向に振る操作）がされたか否かを判定する。制御部１１０は、エアマウス１００の操作（振る操作）がされたと判定した場合（ＹＥＳ）、ステップＳ１１３の処理に進む。一方、制御部１１０は、エアマウス１００の操作（振る操作）がされていないと判定した場合（ＮＯ）、ステップＳ１０１の処理に戻す。
（ステップＳ１１３）制御部１１０は、エアマウス１００の操作（振る操作）に応じて、画面上の操作位置を移動させる。
【００５８】
次に、図１２を参照して、非スクロールモード時のアイコン選択判定処理の動作について説明する。図１２は、本実施形態に係るアイコン選択判定処理の一例を示すフローチャートである。
【００５９】
（ステップＳ２０１）制御部１１０は、画面上の操作位置が含まれる選択判定領域に対応するアイコンを、選択中のアイコンであると判定し、ステップＳ２０３の処理に進む。
【００６０】
（ステップＳ２０３）制御部１１０は、選択中と判定したアイコンを強調表示させる。そして、ステップＳ２０５の処理に進む。
【００６１】
（ステップＳ２０５）制御部１１０は、エアマウス１００から送信される操作信号に基づいて、エアマウス１００の操作ボタン１０１（Ｈｏｖｅｒ状態の操作ボタン）が押下されたか否かを判定する。制御部１１０は、操作ボタン１０１が押下されていないと判定した場合（ＮＯ）、ステップＳ２０１の処理に戻す。一方、制御部１１０は、操作ボタン１０１が押下されたと判定した場合（ＹＥＳ）、ステップＳ２０７の処理に進む。
【００６２】
（ステップＳ２０７）制御部１１０は、選択中のアイコンの選択を確定し、当該アイコンに割り当てられている機能を実行する。例えば、選択中のアイコンが「戻るボタン」の場合に操作ボタン１０１が押下されると、制御部１１０は、ひとつ前の画面に遷移させる処理を行う。
【００６３】
以上説明したように、本実施形態に係る表示装置１は、操作制御部１１４（第１操作制御部及び第２操作制御部の一例）と、アイコン設定部１１１（選択項目設定部の一例）とを備えている。操作制御部１１４は、画面に対する操作に応じて画面の表示内容をスクロールさせるスクロールモードに制御するとともに、所定の操作（例えば、操作ボタン１０１がＨｏｖｅｒ状態）が行われた場合、画面の表示内容をスクロールさせずに、画面に対する操作に応じて画面上の操作位置を移動させる非スクロールモードに制御する。また、アイコン設定部１１１は、所定の操作（例えば、操作ボタン１０１がＨｏｖｅｒ状態）が行われた場合、予め設定されたアイコン（選択項目）を画面に表示させる。ここで、予め設定されたアイコン（選択項目）は、例えば、ひとつ前の画面に遷移させる機能を選択するため選択項目（例えば、「戻るボタン」）である。
【００６４】
これにより、表示装置１は、所定の操作でスクロールモードと非スクロールモードとを所定の操作で切替えるとともに、非スクロールモードで「戻るボタン」を表示させるため、スクロールモードで多くのコンテンツや機能を効率よく検索できるとともに、画面のスクロールが停止した状態で「戻るボタン」を容易に選択することができ、操作性を向上することができる。例えば、表示装置１は、エアマウス１００の操作ボタン１０１をＨｃｖｅｒ状態にする（操作ボタン１０１に指をのせる）だけで、非スクロールモードになり「戻るボタン」の選択が可能となるため、前の画面に容易に戻すことができる。また、表示装置１は、エアマウス１００の操作ボタン１０１をＨｃｖｅｒ状態にする（操作ボタン１０１に指をのせる）か否かだけで、スクロールモードと非スクロールモードとを切り替えることができるため、操作性を向上することができる。
【００６５】
なお、予め設定されたアイコン（選択項目）は、「戻るボタン」に限られるものではなく、他に使用頻度が高い機能や重要な機能などを選択可能なアイコン（選択項目）であってもよい。これにより、表示装置１は、使用頻度が高い機能や重要な機能などを容易に選択することができ、操作性を向上することができる。
【００６６】
また、アイコン設定部１１１は、例えば、「戻るボタン」を画面の端の領域に表示させる。これにより、表示装置１は、画面の端以外に表示させるよりもエアマウス１００の操作位置を「戻るボタン」に合わせやすくなるため、操作性を向上することができる。
【００６７】
また、選択判定領域設定部１１２は、アイコン（選択項目）に対応する選択判定領域を当該アイコン（選択項目）より広い領域として設定してもよい。これにより、エアマウス１００の操作位置を「戻るボタン」合わせやすくなるため、操作性を向上することができる。
【００６８】
なお、上述した例では、「戻るボタン」が画面の上側の端に表示される例を説明したが、これに限られるものではない。例えば、「戻るボタン」は、画面の下側の端に表示されてもよいし、左又は右側の端に表示されてもよい。また、「戻るボタン」は、画面の一方向側の端に表示されることに限られるものではなく、二方向側（例えば、上側と下側、上側と左側など）の端に表示されてもよいし、三方向側の端に表示されてもよいし、四方向（上下左右）側の全ての端に表示されてもよい。
【００６９】
［第２の実施形態］
次に、本発明の第２の実施形態について説明する。
本実施形態では、所定の操作（例えば、操作ボタン１０１がＨｏｖｅｒ状態）が行われた場合に表示される予め設定された選択項目（例えば、「戻るボタン」）の表示位置をユーザが選択可能な構成について説明する。
【００７０】
例えば、アイコン設定部１１１は、予め設定されたアイコン（選択項目、例えば、「戻るボタン」）を表示させる領域を選択可能な設定画面を表示させ、当該設定画面において選択が変更された場合、選択された領域を予め設定されたアイコン（例えば、「戻るボタン」）を表示させる領域として設定する。そして、アイコン設定部１１１（選択項目設定部の一例）は、画面の領域のうちユーザにより選択された領域に予め設定されたアイコン（選択項目、例えば、「戻るボタン」）を表示させる。
【００７１】
図１３は、「戻るボタン」の表示領域を選択可能な設定画面の一例を示す図である。図示する例では、「戻るボタン」の表示領域の選択肢として、上、下、左、右、上左、上右、下左、下右、自動の９種類の選択肢が表示されている。例えば、この設定画面は、非スクロールモード時に表示されるアイコンのうち、操作方法の設定機能が割り当てられたアイコンを選択することにより、その設定機能の中の下の階層（設定項目）の中の一つとして設けられている。ユーザは、各選択肢の領域のうち所望の選択肢に操作位置を合わせ、操作ボタンを押下することで、「戻るボタン」の表示領域を設定することができる。
【００７２】
次に、図１４を参照して、「戻るボタン」の表示領域の設定処理の動作について説明する。図１４は、「戻るボタン」の表示領域の設定処理の一例を示すフローチャートである。
（ステップＳ３０１）制御部１１０は、図１３に示す設定画面においてユーザの操作により「戻るボタン」の表示領域の設定が変更されたか否かを判定する。制御部１１０は、設定が変更されたと判定した場合（ＹＥＳ）にはステップＳ３０３の処理に進み、設定が変更されていないと判定した場合には（ＮＯ）ステップＳ３０１の処理を再び行う。
【００７３】
（ステップＳ３０３）制御部１１０は、「戻るボタン」の表示領域をユーザの操作により設定された領域に変更し、ステップＳ３０５の処理に進む。
（ステップＳ３０５）制御部１１０は、変更された表示領域の設定値をＮＶＲＡＭ１４に保存する。
【００７４】
次に、図１５を参照して、ユーザ設定に応じた「戻るボタン」の表示制御処理について説明する。図１５は、ユーザ設定に応じた「戻るボタン」の表示制御処理の一例を示すフローチャートである。
【００７５】
（ステップＳ４０１）制御部１１０は、エアマウス１００から送信される操作信号に基づいて、エアマウス１００の操作ボタン１０１がＨｏｖｅｒ状態であるか否かを判定する。制御部１１０は、Ｈｏｖｅｒ状態であると判定した場合（ＹＥＳ）、ステップＳ４０３の処理に進み（非スクロールモード）、Ｈｏｖｅｒ状態でないと判定した場合（ＮＯ）、ステップＳ４０１の処理を再び行う（スクロールモード）。
【００７６】
（ステップＳ４０３）制御部１１０は、ＲＡＭ１２を参照して「戻るボタン」の表示領域の設定値を取得し、当該設定値に設定されている表示領域に「戻るボタン」を表示させる。
（ステップＳ４０５）制御部１１０は、設定された表示領域の方向にエアマウス１００が振られ、「戻るボタン」の選択判定領域に操作位置が入ったか否かを判定する。「戻るボタン」の選択判定領域に操作位置が入ったと判定した場合（ＹＥＳ）、ステップＳ４０７の処理に進む。
（ステップＳ４０７）制御部１１０は、「戻るボタン」を強調表示させる。
【００７７】
なお、制御部１１０は、ステップＳ４０５において、「戻るボタン」の選択判定領域に操作位置が入っていないと判定した場合（ＮＯ）、「戻るボタン」の強調表示を行わない。
【００７８】
このように、表示装置１は、画面の領域のうちユーザにより選択された領域に予め設定されたアイコン（選択項目、例えば、「戻るボタン」）を表示させてもよい。例えば、「戻るボタン」の表示領域として「上」が選択された場合には、図８~１０に示す例のように、画面の上側の端に「戻るボタン」が表示される。また、「戻るボタン」の表示領域として「上左」が選択された場合には、画面の上側と左側の両方の端に「戻るボタン」が表示される。なお、画面の上下左右のすべての端に「戻るボタン」を表示させる設定があってもよい。
【００７９】
これにより、表示装置１は、ユーザが操作しやすいように、ユーザが選択した画面領域に「戻るボタン」を表示させることができる。
【００８０】
また、図１３に示す設定画面において、「戻るボタン」の表示領域の選択肢として「自動」があるが、この「自動」が選択された場合には、アイコン設定部１１１は、所定の操作に応じた領域に「戻るボタン」を表示させる。この、所定の操作に応じた領域とは、例えば、ユーザがエアマウス１００を振った方向の領域である。例えば、エアマウス１００の操作ボタン１０１がＨｏｖｅｒ状態であって、且つエアマウス１００が振られた場合、制御部１１０は、画面の領域のうちエアマウス１００が振られた方向に応じた領域に「戻るボタン」を表示させる。
【００８１】
図１６は、ユーザ設定が「自動」の場合の「戻るボタン」の表示制御処理の一例を示すフローチャートである。
【００８２】
（ステップＳ５０１）制御部１１０は、エアマウス１００から送信される操作信号に基づいて、エアマウス１００の操作ボタン１０１がＨｏｖｅｒ状態であるか否かを判定する。制御部１１０は、Ｈｏｖｅｒ状態であると判定した場合（ＹＥＳ）、ステップＳ５０３の処理に進み（非スクロールモード）、Ｈｏｖｅｒ状態でないと判定した場合（ＮＯ）、ステップＳ５０１の処理を再び行う（スクロールモード）。
【００８３】
（ステップＳ５０３）制御部１１０は、Ｈｏｖｅｒ状態のままエアマウス１００が振られたか否かを判定する。制御部１１０は、エアマウス１００が振られたと判定した場合（ＹＥＳ）、ステップＳ５０５の処理に進み、エアマウス１００が振られていないと判定した場合（ＮＯ）、ステップＳ５０３の処理の処理を再び行う。
【００８４】
（ステップＳ５０５）制御部１１０は、エアマウス１００が振られた方向に対応する画面の端に「戻るボタン」を表示させる。例えば、Ｈｏｖｅｒ状態のままエアマウス１００が上方向に振られた場合、制御部１１０は、画面の上側の端に「戻るボタン」を表示させる。
【００８５】
（ステップＳ５０７）制御部１１０は、「戻るボタン」の選択判定領域にエアマウス１００の操作位置が入ったか否かを判定する。「戻るボタン」の選択判定領域に操作位置が入ったと判定した場合（ＹＥＳ）、ステップＳ５０９の処理に進む。
（ステップＳ５０９）制御部１１０は、「戻るボタン」を強調表示させる。
【００８６】
なお、制御部１１０は、ステップＳ５０７において、「戻るボタン」の選択判定領域に操作位置が入っていないと判定した場合（ＮＯ）、「戻るボタン」の強調表示を行わない。
【００８７】
このように、表示装置１は、画面の領域のうちエアマウス１００を振った方向の領域に「戻るボタン」を表示させることにより、エアマウス１００の操作位置を「戻るボタン」に合わせやすくなり、操作性を向上することができる。
【００８８】
［変形例］
なお、表示装置１（操作制御部１１４）は、ユーザがエアマウス１００により画面上の操作位置を「戻るボタン」の選択判定領域に移動させる操作を行わなくとも、画面上の操作位置を「戻るボタン」が選択された状態となる位置に移動させてもよい。例えば、表示装置１は、エアマウス１００の操作ボタン１０１に指をのせてＨｏｖｅｒ状態にした後、エアマウス１００の移動量又は移動速度が所定の値以上になった場合に、「戻るボタン」の選択判定領域に操作位置を自動で移動させ、「戻るボタン」が選択されている状態に制御してもよい。これにより、表示装置１は、「戻るボタン」に操作位置を合わせる操作をしなくとも、Ｈｏｖｅｒ状態のまま大きくエアマウスを振るだけで、「戻るボタン」が選択されている状態になるため、「戻るボタン」を容易に選択することができ、操作性を向上することができる。
【００８９】
また、表示装置１は、非スクロールモードに制御して「戻るボタン」を表示させる際に、ユーザがエアマウス１００を操作しなくとも、「戻るボタン」の選択判定領域に操作位置を自動で移動させ、「戻るボタン」が選択されている状態に制御してもよい。この場合、表示装置１は、「戻るボタン」に操作位置を合わせる操作をしなくとも、エアマウス１００の操作ボタン１０１をＨｏｖｅｒ状態にするだけで「戻るボタン」が選択されている状態になるため、「戻るボタン」を容易に選択することができ、操作性を向上することができる。
【００９０】
なお、上記実施形態では、アイコンの数に応じて垂直方向と水平方向のそれぞれに均等に分割した選択判定領域が設定される例を説明したがこれに限られるものではない。例えば、選択判定領域設定部１１２は、予め設定された機能のアイコン（選択項目）に対応する選択判定領域を、アイコンの並びや数に関わらず、他のアイコンに対応する選択判定領域よりも広く設定してもよい。予め設定された機能とは、例えば、重要な機能、使用頻度が高いと想定される機能（例えば、「戻るボタン」）などである。また、選択判定領域設定部１１２は、実際に各アイコンの使用頻度を計数し、使用頻度の高いアイコンに対応する選択判定領域を、使用頻度の低いアイコンに対応する選択判定領域よりも広く設定してもよい。また、選択判定領域設定部１１２は、複数のアイコンのそれぞれの大きさに応じて、複数の選択判定領域のそれぞれの大きさを設定してもよい。例えば、選択判定領域設定部１１２は、複数のアイコンのそれぞれの大きさに応じて画面領域全体を分割した分割領域をそれぞれのアイコンに対応する選択判定領域としてもよい。また、選択判定領域設定部１１２は、複数のアイコンのそれぞれの機能に応じて、複数の選択判定領域のそれぞれの大きさを設定してもよい。
【００９１】
また、上述した選択判定領域の設定例では、画面領域の全体をアイコンの数で分割した分割領域を選択判定領域としたため、画面領域に選択判定領域とならない領域が存在していないが、選択判定領域とならない領域が画面領域の一部に存在してもよい。例えば、画面領域の上下左右のすべての端に選択判定領域とならない隙間が設けられてもよいし、少なくとも上下左右のいずれか一つの端に選択判定領域とならない隙間が設けられてもよい。また、アイコンが上段と下段の２段で配置されている場合、上段のアイコンに対応する選択判定領域と下段のアイコンに対応する選択判定領域との間に選択判定領域とならない隙間が設けられてもよい。なお、アイコンが３段以上の複数の段で配置されている場合には、少なくとも一以上の段と段の間に選択判定領域とならない隙間が設けられてもよい。また、左右方向に複数の列でアイコンが配置されている場合には、少なくとも一以上の列と列の間に選択判定領域とならない隙間が設けられてもよい。つまり、選択判定領域設定部１１２は、複数の選択判定領域のうち少なくとも２つの選択判定領域どうしの一部を隣接させてもよい。
【００９２】
また、アイコンの領域と当該アイコンに対応する選択判定領域との大きさ及び位置が一致してもよい。例えば、選択判定領域設定部１１２は、アイコンと同じ大きさと位置の選択判定領域を設定しもよいし、改めて選択判定領域を設定しなくてもよい。選択判定領域を設定しない場合には、アイコンの領域がそのまま選択判定領域として処理が行われてもよい。また、アイコンの領域と当該アイコンに対応する選択判定領域との大きさ及び位置が基本的に一致する場合でも、アイコンの領域より選択判定領域の方が若干大きく設定されてもよい。
【００９３】
また、上記実施形態では、アイコン選択画面に、選択対象となる領域としてアイコンが表示される例を説明したが、アイコン以外のものであってもよく、例えば、アイコンに代えて、ボタン又はバナーなどであってもよい。
【００９４】
また、上記実施形態では、アイコンの数、位置、及び画面の仕様に基づいて、複数のアイコンのそれぞれに対応する複数の選択判定領域が動的に生成される例を説明したが、選択判定領域は、動的に生成されなくてもよい。例えば、アイコンの数、位置、画面の仕様などに基づいて選択判定領域が予め設定されていてもよい。
【００９５】
また、上記実施形態では、画面に対する操作方法として、エアマウスを用いた操作方法を例として説明したが、エアマウスに限定されるものではない。例えば、机上（或いは机上に置かれたパッド上）などで操作するマウスやペンタブレットを用いた操作方法、レーザポインタを用いた操作方法、人の動きなどを検出するモーションキャプチャーを用いた操作方法に適用することもできる。  
【００９６】
なお、上述した実施形態における表示装置１の一部の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、表示装置１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００９７】
また、表示装置１の一部又は全部を、ＬＳＩ（Ｌａｒｇｅ  Ｓｃａｌｅ  Ｉｎｔｅｇｒａｔｉｏｎ）等の集積回路として実現してもよい。また、本実施形態の表示装置１内の各構成要素は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００９８】
また、上記実施形態では、表示部２０を備えた表示装置１の構成例を説明したが、表示部２０が備えられていない表示制御装置として構成してもよい。例えば、表示制御装置は、外部装置としてのテレビジョンやモニターなどと接続可能であり、図２に示す表示制御装置１０の構成（及び図５に示す制御部１１０の構成）の一部又は全部を備える構成としてもよい。具体的には、外部装置としてのテレビジョンやモニターなどに映像信号を出力するＤＶＤプレイヤー、ＨＤＤレコーダー、ケーブルテレビの受信機（チューナー）、家庭用ゲーム機などにも本発明を適用することができる。
【００９９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１００】
１  表示装置、１０  表示制御装置、２０  表示部、１１  ＭＰＵ、１２  ＲＡＭ、１３  ＲＯＭ、１４  ＮＶＲＡＭ、１５  表示制御部、１６  ビデオＲＡＭ、１７  通信部、１００  エアマウス、１０１  操作ボタン、１１０  制御部、１１１  アイコン設定部、１１２  選択判定領域設定部、１１３  操作検出部、１１４  操作制御部、１１５  選択判定部、１１６  選択表示部、１５１  操作部、１５２  通信部、１５３  センサ部、１５４  ＭＰＵ
【図１】
2020003918.tif 000003
【図２】
2020003918.tif 000004
【図３】
2020003918.tif 000005
【図４】
2020003918.tif 000006
【図５】
2020003918.tif 000007
【図６】
2020003918.tif 000008
【図７】
2020003918.tif 000009
【図８】
2020003918.tif 000010
【図９】
2020003918.tif 000011
【図１０】
2020003918.tif 000012
【図１１】
2020003918.tif 000013
【図１２】
2020003918.tif 000014
【図１３】
2020003918.tif 000015
【図１４】
2020003918.tif 000016
【図１５】
2020003918.tif 000017
【図１６】
2020003918.tif 000018